(57)【特許請求の範囲】
【請求項１】
中央部にラインが連結されるフレームと、フレームの一端に設けられた疑似餌と、フレームの他端に回転自在および揺動自在に連結されたブレードとを備え、リーリングされることによってブレードが振動して疑似餌によるベイトフィッシュの存在をアピールをする釣用ルアーであって、
上記ブレードが薄肉の板材からなり、
上記ブレードが、上記フレームとの連結部分を通りリーリング方向に延びる仮想基準軸線に対して互いに非対称形状である第１部分および第２部分を備えており、
上記第１部分および第２部分は、リーリング方向と直交する方向において湾曲しており、
上記第１部分では、上記直交する方向において、曲率半径が端部に向かって漸次小さくなっており、
上記第２部分では、上記直交する方向において、曲率半径が端部に向かって漸次大きくなっており、
上記直交する方向において、仮想基準軸線から第１部分の端縁までの距離が仮想基準軸線から第２部分の端縁までの距離よりも大きいことを特徴とする釣用ルアー。
【請求項２】
中央部にラインが連結されるフレームと、フレームの一端に設けられた疑似餌と、フレームの他端に回転自在および揺動自在に連結されたブレードとを備え、リーリングされることによってブレードが振動して疑似餌によるベイトフィッシュの存在をアピールをする釣用ルアーであって、
上記ブレードが、上記フレームとの連結部分を通り長軸方向に延びる仮想基準軸線に対して互いに非対称形状である第１部分および第２部分を備えており、
上記ブレードが、平面視略楕円状のスプーン形になるように、仮想基準軸線に対して直交する方向において湾曲しており、
上記第１部分では、上記直交する方向において、曲率半径が端部に向かって漸次小さくなっており、
上記第２部分では、上記直交する方向において、曲率半径が端部に向かって漸次大きくなっており、
上記直交する方向において、仮想基準軸線から第１部分の端縁までの距離が仮想基準軸線から第２部分の端縁までの距離よりも大きいことを特徴とする釣用ルアー。
【請求項３】
請求項１又は２に記載の釣用ルアーにおいて、上記第１部分および第２部分は、滑らかに連続していることを特徴とする釣用ルアー。
【請求項４】
請求項１ないし３のいずれかに記載の釣用ルアーにおいて、上記ブレードの上記仮想基準軸線に沿う方向の曲率半径が漸次変化されていることを特徴とする釣用ルアー。
【請求項５】
請求項４に記載の釣用ルアーにおいて、上記仮想基準曲線に沿う方向の曲率半径は、上記フレームとの連結部分に近いほど大きくなるように設定されていることを特徴とする釣用ルアー。
【発明の詳細な説明】
【０００１】
【発明の属する技術の分野】
この発明は、釣用のルアーに関し、特にスピナーベイトの構造に関するものである。
【０００２】
【従来の技術および発明が解決しようとする課題】
釣用ルアーのなかにスピナーベイトとよばれるタイプのものがある。図４は、従来の一般的なスピナーベイトの一例を示すものである。同図に示すようにスピナーベイト１は、中央部２にライン（図示せず）が連結されるＶ字状のフレーム３を有し、その一端に、フック４およびスカート５が設けられた疑似餌６が取り付けられている。また、フレーム３の他端にはスイベル７を介してブレード８が取り付けられており、ラインをリーリングすることによりブレード８が回転および揺動し、スピナーベイト１がベイトフィッシュをイメージさせるようになっている。
【０００３】
ところで、ベイトフィッシュをイメージさせるためには、ブレード８の回転および揺動、すなわちブレード８の振動態様が重要な役割を果たすであろうことが知られており、その研究も進んでいる。
【０００４】
図５は、ブレード８のＡ−Ａ断面図である。ブレード８は、通常図に示すように湾曲されており、所定の曲率半径Ｒとなるように形成されている。この曲率半径Ｒを変化させることによってブレード８の振動のしかたが変化する。つまり、曲率半径Ｒを大きくした場合（これを「シャローカップ」という。）には、リーリングに対してブレード８の回り始めが遅いが、回転した場合には大きく揺動し、振動が大きくなる。一方、曲率半径Ｒを小さくすると（これを「ディープカップ」という。）、リーリングに対して直ちに回転を始めるが、回転に伴う揺動が小さく、振動が小さくなる。
【０００５】
スピナーベイト１の存在をアピールするためには振動を大きくすることが重要であることが知られているが、あまりに大きく振動させると、ブレード８がフック４やスカート５と接触してしまうおそれがあると共にリーリング抵抗も非常に大きくなり、釣人にとって釣りの負担となる。一方、振動を小さくするとリーリング抵抗は小さくなるが、スピナーベイト１の存在のアピールに欠ける。
【０００６】
このようにブレード８の形状はシャローカップとするかディープカップとするかによってそれぞれ一長一短があり、設計者の設計思想のもとに上記曲率半径Ｒが決定されると、それがスピナーベイト１のリーリング特性の味付けとして反映されることになる。
【０００７】
本発明はかかる背景のもとになされたものであり、その目的は、ブレードの形状を工夫することによって、シャローカップの長所およびディープカップの長所を取り入れた優れた釣用ルアー（スピナーベイト）を提供することである。
【０００８】
【課題を解決するための手段】
上記目的を達成するために本願発明者は、ブレードの回転および揺動の中心となる所定の基準軸に対して、シャローカップ部分とディープタイプ部分とを形成することによって、両者の長所を取り入れたルアーを構成することができる旨の知見を得た。
【０００９】
本発明に係る釣用ルアーは、中央部にラインが連結されるフレームと、フレームの一端に設けられた疑似餌と、フレームの他端に回転自在および揺動自在に連結されたブレードとを備える。このルアーは、リーリングされることによってブレードが振動して疑似餌によるベイトフィッシュの存在をアピールをする。上記ブレードは、薄肉の板材からなる。上記ブレードは、上記フレームとの連結部分を通りリーリング方向に延びる仮想基準軸線に対して互いに非対称形状である第１部分および第２部分を備える。上記第１部分および第２部分は、リーリング方向と直交する方向において湾曲している。上記第１部分では、上記直交する方向において、曲率半径が端部に向かって漸次小さくなっている。上記第２部分では、上記直交する方向において、曲率半径が端部に向かって漸次大きくなっている。上記直交する方向において、仮想基準軸線から第１部分の端縁までの距離は、仮想基準軸線から第１部分の端縁までの距離よりも大きい。
【００１０】
本発明に係る他の釣用ルアーは、中央部にラインが連結されるフレームと、フレームの一端に設けられた疑似餌と、フレームの他端に回転自在および揺動自在に連結されたブレードとを備える。このルアーは、リーリングされることによってブレードが振動して疑似餌によるベイトフィッシュの存在をアピールをする。上記ブレードは、上記フレームとの連結部分を通り長軸方向に延びる仮想基準軸線に対して互いに非対称形状である第１部分および第２部分を備える。上記ブレードは、平面視略楕円状のスプーン形になるように、仮想基準軸線に対して直交する方向において湾曲している。上記第１部分では、上記直交する方向において、曲率半径が端部に向かって漸次小さくなっている。上記第２部分では、上記直交する方向において、曲率半径が端部に向かって漸次大きくなっている。上記直交する方向において、仮想基準軸線から第１部分の端縁までの距離は、仮想基準軸線から第１部分の端縁までの距離よりも大きい。
【００１１】
このルアーでは、単一のブレードがディープカップとシャローカップとの両方を備える。このルアーでは、第１部分によってリーリングに対して直ちにブレードを回転させることができ、第２部分によって大きな振動を発生させることができる。このブレードは、相対的に表面積の広いディープカップと相対的に表面積が狭いシャローカップとを組み合せた形状を有する。このブレードは、ディープカップとしての性質が強い。従って、リーリングに対してきわめてレスポンスよく回転をし始める。
【００１８】
(4)  上記第１部分および第２部分は、滑らかに連続するように形成するのが好ましい。そのようにすれば、ブレード全体として屈折あるいは屈曲部分をなくすことができ、ブレードのきわめて滑らかな回転と揺動を実現することができる。  (5)  上記ブレードの上記仮想基準軸線に沿う方向の曲率半径を漸次変化させることもできる。
【００１９】
このようにすれば、リーリングの際にリーリング方向と交差する方向に水が排除されるので、より強く揺動させることができ、振動を大きくすることができる。
【００２０】
特に、上記仮想基準曲線に沿う方向の曲率半径は、上記フレームとの連結部分に近いほど大きくなるように設定することができる。そのようにすれば、リーリングの際に、水がフレームの連結部分から上記仮想基準曲線に沿って流れ、ブレードの上記仮想基準曲線方向の端部から放射状に排除されることになる。したがって、上記連結部を中心とした一層強い揺動を起こさせることができ、より大きな振動を生じささせることが可能となる。
【００２１】
【発明の実施の形態】
以下、本発明の実施の形態について説明する。
【００２２】
図１は、本発明の一実施形態に係るスピナーベイト（以下、単に「ルアー」という。）２０の正面図である。
【００２３】
このルアー２０は、たとえばブラックバスを釣るために使用することができ、フレーム２１と、その一端に設けられたブレード２２と、フレーム２１の他端に設けられた疑似餌２３とを備えている。そして、矢印Ｈの方向（リーリング方向）へのリーリングによって、後述する仮想基準軸線Ｎを中心としてブレード２２が回転および揺動して振動を発生させ、それにより疑似餌２３の存在（すなわちベイトフィッシュの存在）を魚にアピールしようとするものである。
【００２４】
本実施形態の特徴とすることろは、ブレード２２の形状にあり、このブレード２２がいわゆるシャローカップとディープカップの双方の利点を備えている点である。以下、詳しく説明する。
【００２５】
フレーム２１は、たとえばステンレス鋼等からなる細長棒状部材を屈曲させて構成されており、図に示すような略Ｖ字状に形成されている。フレーム２１の中央部２４（Ｖ字の頂部）は所定長さだけ折り返されており、この部分にライン（釣糸）が結びつけられるようになっている。
【００２６】
フレーム２１の一端部２５は環状に形成されており、スイベル２６を介して上記ブレード２２が取り付けられている。また、フレーム２１の他端部２７には上記疑似餌２３が固定されている。この疑似餌２３は、ベイトフィッシュの頭部に似せた本体２８と、本体２８に取り付けられたフック２９およびスカート３０とを有している。本体２８は、たとえばタングステン樹脂等の合成樹脂や金属により構成することができ、フック２９は、本体２８に沿って反リーリング方向へ延びるように取り付けられている。また、スカート３０は、たとえばシリコンゴム等の合成樹脂により糸状に形成されており、図に示すように本体２８の周囲に多数取り付けられている。
【００２７】
図２は、ブレード２２の形状を示す図であり、(a)図は平面図、(b)図は(a)図のＢ−Ｂ断面図、(c)図は(a)図のＣ−Ｃ断面図である。
【００２８】
ブレード２２は、たとえばステンレス鋼により構成することができる。本実施形態では、ブレード２２は同図に示すように薄肉の板材からなり、平面視で略楕円形状を呈している。ブレード２２は、上記リーリング方向の先端部に取付孔３１が設けられている。この取付孔３１の内径は、上記スイベル２６（図１参照）の連結部の外径よりも大きく設定されており、スイベル２６に対して遊動自在に連結されている。したがって、ブレード２２は、この取付孔３１を基準として、上記仮想基準軸線Ｎの回りに自由に回転し、且つ揺動可能となっている。この仮想基準軸線Ｎとは、上記取付孔３１を通り、ブレード２２の長手方向（長軸方向）に沿う仮想の軸線をいう。
【００２９】
ブレード２２は、仮想基準軸線Ｎを中心にして図中上下非対称形状に形成されている。すなわち、ブレード２２は、仮想基準軸線Ｎを基準にして上部側に幅寸法ｄ１の第１部分３２と、仮想基準軸線Ｎを基準にして下部側に幅寸法ｄ２の第２部分３３とを有し、寸法ｄ１が寸法ｄ２よりも小さくなるように設定されている。本実施形態では、ｄ１＝７．５ｍｍ、ｄ２＝１４ｍｍに設定されているが、この寸法に限定されるものでないことは勿論である。
【００３０】
また、同図(b)に示すように、第１部分３２の曲率半径Ｒ１は、第２部分３３の曲率半径Ｒ２よりも小さく設定されている。このようにブレード２２が湾曲形成されることにより、ブレード２２は、全体としてスプーン状を呈することになる。本実施形態では、Ｒ１＝２４．９ｍｍ、Ｒ２＝７９．５ｍｍに設定されているが、この寸法に限定されるものでないことは勿論である。
【００３１】
つまり、このブレード２２は、第１部分３２によってディープカップが構成され、第２部分３３によってシャローカップが構成されている。そして、これら各部分３２，３３は一体的に形成され、図に示すように両者の境界は滑らかに連続している。
【００３２】
なお、一般的に、ディープカップとシャローカップとを曲率半径により区別すると、その境界は明確には定められていないが、曲率半径が３０ｍｍ程度以下であればディープカップ、５０ｍｍ程度以上であればシャローカップと呼ばれ、曲率半径が３０ｍｍ〜５０ｍｍ程度のものはノーマルカップと呼ばれることがある。ただし、本実施形態のように、他の部分に比べて曲率半径が変化するようなタイプのブレードでは、他の部分に比べて曲率半径が大きくなる部分をシャローカップと定義し、他の部分に比べて曲率半径が小さくなる部分をディープカップと定義することもできる。
【００３３】
さらに、ブレード２２は、同図(c)に示すように、リーリング方向に沿って湾曲されており、その曲率半径は、反リーリング方向側ほど大きくなっている。すなわち、ブレード２２は、上記取付孔３１が設けられた部分（フレーム２１との連結部分）に近いほどその曲率半径が大きく、しかも、反リーリング方向側へいくほど曲率半径が漸次小さくなっている。
【００３４】
本実施形態に係るルアー２０は、水中で次のようなアクションを起こす。
【００３５】
まず、フレーム２１の中央部２４（図１参照）にラインを連結し、ルアー２０をキャストする。ルアー２０が水中に入った後にリーリング動作をすれば、フレーム２１と共にブレード２２がリーリングされる。
【００３６】
ブレード２２は、第１部分３２の曲率半径が小さく、第２部分３３の曲率半径が大きくなっているので、単一のブレード２２においてディープカップとシャローカップとの両方が形成されていることになる。そして、リーリングすることによってブレード２２は、上記取付孔３１を中心にして仮想基準軸線Ｎの回りに回転し且つ揺動し、振動を発生する。このとき、第１部分３２がディープカップを構成しているので、リーリングに対して直ちにブレード２２を回転させることができる。また、第２部分３３がシャローカップを構成しているので、ブレード２２の揺動を大きくすることができ、その結果、ブレード２２全体が大きな振動を発生する。つまり、リーリングを始めると直ちにブレード２２が振動を発生させることになる。
【００３７】
本実施形態では、第１部分３２の幅寸法ｄ１よりも第２部分３３の幅寸法ｄ２が大きくなるように設定されているから、相対的に表面積の広いシャローカップと相対的に表面積の狭いディープカップとを組み合せたブレード２２が形成されている。これにより、ブレード２２は、シャローカップとしての性質が強くなり、リーリングに対して直ちに回転をし、大きな振動を発生させることができる。
【００３８】
また、第２部分３３の曲率半径Ｒ２が７９．５ｍｍであり、十分大きく設定されているので、第２部分２２の幅寸法ｄ２を小さく設定してもブレード２２全体を大きく振動させることができる。しかも、寸法ｄ２をコンパクトに設定することによりリーリング抵抗を小さくすることができると共に、ブレード２２の回転および揺動により疑似餌２３と干渉することも防止できるという利点がある。
【００３９】
また、本実施形態では図２に示すように、第１部分３２は端部に近づくほど漸次曲率半径が小さくなるように形成され、第２部分３３は端部にづくほど漸次曲率半径が大きくなるように形成されているから、ブレード２２の表面をきわめて滑らかなものとすることができ、リーリングに対して滑らかに回転することができる。
【００４０】
また、第１部分３２と第２部分３３とは、滑らかに連続されているので、ブレード２２全体として屈折あるいは屈曲部分をなくすことができ、ブレード２２のきわめて滑らかな回転と揺動を実現することができるという利点もある。
【００４１】
さらに、ブレード２２の仮想基準軸線Ｎに沿う方向の曲率半径を図に示すように漸次変化させているので、リーリングの際に仮想基準軸線Ｎと交差する方向に水が放射状に排除されるので、ブレード２２をより強く揺動させることができるという利点もある。特に、ブレード２２の仮想基準曲線Ｎに沿う方向の曲率半径は、後端側（上記取付孔３１が設けられた側と反対側）ほど大きくなるように設定されているから、リーリングの際に、水が反リーリング方向へ円滑に流れ、放射状に排除されることになる。したがって、ブレード２２をより一層強く揺動させることができる。
【００４２】
次に、本実施形態の変形例について説明する。
【００４３】
図３は、上記一実施形態の変形例に係るブレードの形状を示す図であり、(a)図は平面図、(b)図は(a)図のＤ−Ｄ断面図である。
【００４４】
このブレード４０が上記実施形態に係るブレード２１と異なるところは、ブレード２２が仮想基準軸線Ｎを基準にして幅寸法ｄ１の小さい第１部分３２と、幅寸法ｄ２の大きい第２部分３３とを有していたのに対し、本実施形態に係るブレード４０は、仮想基準軸線Ｎを基準にして上部側に幅寸法ｄ１の第１部分４２と、仮想基準軸線Ｎを基準にして下部側に幅寸法ｄ２の第２部分４３とを有し、寸法ｄ１が寸法ｄ２よりも大きくなるように設定されている点である。本実施形態では、ｄ１＝１２．５ｍｍ、ｄ２＝９．０ｍｍに設定されているが、この寸法に限定されるものでないことは勿論である。なお、その他の構成については、上記実施形態と同様であるので、同様の参照符号を付してその説明を省略する。
【００４５】
つまり、このブレード４０は、第１部分４２によってディープカップが構成され、第２部分４３によってシャローカップが構成されているが、上記寸法ｄ１がｄ２よりも大きく設定されているので、相対的に表面積の広いディープカップと相対的に表面積の狭いシャローカップとを組み合せたものとして形成されている。これにより、ブレード４０は、ディープカップとしての性質が強くなり、リーリングに対してきわめてレスポンスよく回転をし始め、振動を発生させることができる。ただし、上記実施形態に係るブレード２２と比較すれば、相対的に振動は小さくなる。
【００４６】
なお、本変形例においても、上記実施形態と同様に、リーリングと同時に振動を発生させることに加えて、特に第２部分４３（シャローカップの部分）の表面積が小さいので、リーリング抵抗を大幅に低減することができるという利点、およびリーリング中に疑似餌２３との干渉を避けることができるという利点を備えている。
【００４７】
【発明の効果】
以上にように本願発明によれば、ディープカップとシャローカップとの両方を備えた単一のブレードを形成することができるので、両者の長所を備えつつ、第２部分を比較的コンパクトに設計することにより、リーリング抵抗を小さくすると共にブレードと疑似餌との干渉を避けることができる優れた釣用ルアーを提供することができる。
【図面の簡単な説明】
【図１】本発明の一実施形態に係るスピナーベイトの正面図である。
【図２】本発明の一実施形態に係るブレードの形状を示す図であり、(a)図は平面図、(b)図は(a)図のＢ−Ｂ断面図、(c)図は(a)図のＣ−Ｃ断面図である。
【図３】本発明の一実施形態の変形例に係るブレードの形状を示す図であり、(a)図は平面図、(b)図は(a)図のＤ−Ｄ断面図である。
【図４】従来の一般的なスピナーベイトの一例を示すものである。
【図５】図４におけるＡ−Ａ断面図である。
【符号の説明】
２０  スピナーベイト
２１  フレーム
２２  ブレード
２３  疑似餌
２４  フレームの中央部
２５  一端部
２７  他端部
３１  取付孔
３２  第１部分
３３  第２部分
４０  ブレード
４２  第２部分
４３  第２部分
【図１】
0003844683.tif 000002
【図２】
0003844683.tif 000003
【図３】
0003844683.tif 000004
【図４】
0003844683.tif 000005
【図５】
0003844683.tif 000006